(57)【要約】      （修正有）【課題】ユーザによる操作手段の誤操作の発生頻度を低減することができる画像形成装置を提供する。【解決手段】画像形成装置は、携帯端末１０２が画像形成装置の近距離無線通信ポイント５０５に近接する際に、携帯端末１０２の近距離無線通信部から出力される電波によって生じる磁界を検知し、当該検知した磁界に応じて検知信号を送信し、送信した検知信号に応じてＵＩ部おける設定ボタン及びＵＩ部１０６’における設定キー（６０１〜６０３）の操作を無効にする。【選択図】図６
2016074164.tif 000002
【特許請求の範囲】
【請求項１】
操作部を備える画像形成装置であって、
前記操作部の操作に応じて印刷処理を実行する印刷手段と、
情報処理装置との間で近接無線通信を実行可能な近接無線通信手段と、
前記情報処理装置が前記近接無線通信手段に近接したことに応じて前記操作部における前記印刷処理の実行に対応する操作を無効とする操作制御手段とを備えることを特徴とする画像形成装置。
【請求項２】
前記情報処理装置が前記近接無線通信手段に近接したことに応じて前記印刷処理を停止する処理制御手段を備え、
前記印刷手段は、ユーザが前記操作部の操作によって設定した設定情報に応じて前記印刷処理を実行し、
前記処理制御手段は、前記操作部の操作によって前記設定情報が設定されてから所定の時間が経過するまでに前記情報処理装置が前記近接無線通信手段に近接した際、前記印刷処理を停止することを特徴とする請求項１記載の画像形成装置。
【請求項３】
前記印刷処理で用いられる用紙の給紙を制御する給紙制御手段を備え、
前記所定の時間は、前記操作部の操作によって前記設定情報が設定されてから前記印刷処理で用いられる用紙の給紙が開始されるまでの時間より短い時間を示すことを特徴とする請求項２記載の画像形成装置。
【請求項４】
前記ユーザが、前記処理制御手段によって停止された印刷処理を実行するか、若しくは前記処理制御手段によって停止された印刷処理を中止するかを選択する選択手段と、
前記選択手段の選択に基づいて前記処理制御手段によって停止された印刷処理の実行及び前記処理制御手段によって停止された印刷処理の中止のいずれかを決定する決定手段とを備えることを特徴とする請求項２記載の画像形成装置。
【請求項５】
操作部を備える画像形成装置であって、
前記操作部の操作によって設定された設定情報に応じて印刷処理を実行する印刷手段と、
情報処理装置との間で近接無線通信を実行可能な近接無線通信手段と、
前記情報処理装置が前記近接無線通信手段に近接したことに応じて前記印刷処理を停止する処理制御手段とを備え、
前記処理制御手段は、前記操作部の操作によって前記設定情報が設定されてから所定の時間が経過するまでに前記情報処理装置が前記近接無線通信手段に近接した際、前記印刷処理を停止することを特徴とする画像形成装置。
【請求項６】
前記印刷処理で用いられる用紙の給紙を制御する給紙制御手段を備え、
前記所定の時間は、前記操作部の操作によって前記設定情報が設定されてから前記印刷処理で用いられる用紙の給紙が開始されるまでの時間より短い時間を示すことを特徴とする請求項５記載の画像形成装置。
【請求項７】
操作部を備える画像形成装置の制御方法であって、
前記操作部の操作に応じて印刷処理を実行する印刷ステップと、
情報処理装置との間で近接無線通信を実行する近接無線通信ステップと、
前記情報処理装置が前記近接無線通信ステップで前記画像形成装置に近接したことに応じて前記操作部における前記印刷処理の実行に対応する操作を無効とする操作制御ステップとを備えることを特徴とする画像形成装置の制御方法。
【請求項８】
操作部を備える画像形成装置の制御方法であって、
前記操作部の操作によって設定された設定情報に応じて印刷処理を実行する印刷ステップと、
情報処理装置が前記画像形成装置に近接して前記情報処理装置との間で近接無線通信を実行する近接無線通信ステップと、
前記情報処理装置が前記近接無線通信ステップで前記画像形成装置に近接したことに応じて前記印刷処理を停止する処理制御ステップとを備え、
前記処理制御ステップは、前記操作部の操作によって前記設定情報が設定されてから所定の時間が経過するまでに前記情報処理装置が前記近接無線通信ステップで前記画像形成装置に近接した際、前記印刷処理を停止することを特徴とする画像形成装置の制御方法。
【請求項９】
操作部を備える画像形成装置の制御方法をコンピュータに実行させるプログラムであって、
前記画像形成装置の制御方法は、
前記操作部の操作に応じて印刷処理を実行する印刷ステップと、
情報処理装置との間で近接無線通信を実行する近接無線通信ステップと、
前記情報処理装置が前記近接無線通信ステップで前記画像形成装置に近接したことに応じて前記操作部における前記印刷処理の実行に対応する操作を無効とする操作制御ステップとを備えることを特徴とするプログラム。
【請求項１０】
操作部を備える画像形成装置の制御方法をコンピュータに実行させるプログラムであって、
前記画像形成装置の制御方法は、
前記操作部の操作によって設定された設定情報に応じて印刷処理を実行する印刷ステップと、
情報処理装置が前記画像形成装置に近接して前記情報処理装置との間で近接無線通信を実行する近接無線通信ステップと、
前記情報処理装置が前記近接無線通信ステップで前記画像形成装置に近接したことに応じて前記印刷処理を停止する処理制御ステップとを備え、
前記処理制御ステップは、前記操作部の操作によって前記設定情報が設定されてから所定の時間が経過するまでに前記情報処理装置が前記近接無線通信ステップで前記画像形成装置に近接した際、前記印刷処理を停止することを特徴とするプログラム。
【発明の詳細な説明】
【技術分野】
【０００１】
本発明は、画像形成装置及びその制御方法、並びにプログラムに関し、特に、近距離無線通信を行う画像形成装置及びその制御方法、並びにプログラムに関する。
【背景技術】
【０００２】
近距離無線通信機能、例えば、ＮＦＣ（Ｎｅａｒ  Ｆｉｅｌｄ  Ｃｏｍｍｕｎｉｃａｔｉｏｎ）機能を有する画像形成装置はＮＦＣ機能を有する機器とＮＦＣを用いた近距離無線通信（以下、「ＮＦＣ通信」という。）を行う。ＮＦＣ通信では、ＮＦＣ機能を有する機器同士を近付けるだけで当該機器同士の通信設定、例えば、大容量データを高速に通信可能なＷｉ−Ｆｉ  Ｄｉｒｅｃｔの設定が容易に行われる（例えば、特許文献１参照）。
【０００３】
ＮＦＣ機能を有する画像形成装置では、ユーザがＮＦＣ機能を有するスマートフォン等の携帯端末を当該画像形成装置に設けられるＮＦＣタグにかざしてＮＦＣ通信が行われる。ＮＦＣタグには、予め画像形成装置における機器情報、例えば、Ｗｉ−Ｆｉ  Ｄｉｒｅｃｔの通信設定に関する情報が格納されている。携帯端末はＮＦＣ通信によってＮＦＣタグから画像形成装置における機器情報を取得し、取得した機器情報に基づいて携帯端末はＷｉ−Ｆｉ  Ｄｉｒｅｃｔの通信設定を行う。画像形成装置は、通信設定が行われたＷｉ−Ｆｉ  Ｄｉｒｅｃｔを用いて携帯端末から送信された印刷ジョブやスキャンジョブ等の各種ジョブを受信し、受信したジョブに応じた画像形成処理を行う。
【先行技術文献】
【特許文献】
【０００４】
【特許文献１】特開２０１４−１０７８５９号公報
【発明の概要】
【発明が解決しようとする課題】
【０００５】
しかしながら、ユーザが操作指示を入力するＵＩ（Ｕｓｅｒ  Ｉｎｔｅｒｆａｃｅ）部を有する画像形成装置において、ＮＦＣタグがＵＩ部の近傍に設けられる場合がある。当該画像形成装置では、ＮＦＣ通信が行われる際、例えば、ユーザが、携帯端末を画像形成装置におけるＮＦＣタグにかざそうとしてＮＦＣタグの近傍に設けられたＵＩ部における操作ボタン、例えば、印刷処理の実行を指示する操作ボタンを誤って押下してしまう可能性がある。すなわち、ユーザによるＵＩ部の誤操作の発生頻度が高まるという問題がある。
【０００６】
本発明の目的は、ユーザの操作手段の誤操作による印刷処理の実行を防止することができる画像形成装置及びその制御方法、並びにプログラムを提供することにある。
【課題を解決するための手段】
【０００７】
上記目的を達成するために、本発明の画像形成装置は、操作部を備える画像形成装置であって、前記操作部の操作に応じて印刷処理を実行する印刷手段と、情報処理装置との間で近接無線通信を実行可能な近接無線通信手段と、前記情報処理装置が前記近接無線通信手段に近接したことに応じて前記操作部における前記印刷処理の実行に対応する操作を無効とする操作制御手段とを備えることを特徴とする。
【発明の効果】
【０００８】
本発明によれば、情報処理装置が近接無線通信手段に近接したことに応じて操作部における印刷処理の実行に対応する操作が無効になる。ここで、近接無線通信手段が操作部の近傍に設けられると、ユーザが情報処理装置を近接無線通信手段に近接させて近接無線通信を行う際に、当該ユーザが誤って操作部に触れてしまい、ユーザの意図しない印刷処理を画像形成装置が行うおそれがあるが、情報処理装置が近接無線通信手段に近接する際に操作部における印刷処理の実行に対応する操作が無効になるので、情報処理装置を近接無線通信手段に近接させたユーザの操作手段の誤操作による印刷処理の実行を防止することができる。
【図面の簡単な説明】
【０００９】
【図１】本発明の実施の形態に係る画像形成装置を含む画像形成システムの構成を概略的に示すブロック図である。
【図２】図１における画像形成装置の構成を概略的に示すブロック図である。
【図３】図１における携帯端末の構成を概略的に示すブロック図である。
【図４】図１の画像形成システムで実行されるＮＦＣ通信を説明するためのシーケンス図である。
【図５】図１におけるＵＩ部及び近距離無線通信ユニットの外観を示す図である。
【図６】図５のＵＩ部の変形例の外観を示す図である。
【図７】図１におけるコントローラ部で実行される操作無効処理の手順を説明するためのフローチャートである。
【図８】図１における近距離無線コントローラで実行される磁界検知処理の手順を説明するためのフローチャートである。
【図９】図１におけるコントローラ部で実行される一時停止処理の手順を説明するためのフローチャートである。
【図１０】図９におけるリセット処理の手順を説明するためのフローチャートである。
【発明を実施するための形態】
【００１０】
以下、本発明の実施の形態を図面を参照しながら詳述する。
【００１１】
本実施の形態では、ＮＦＣを用いた近距離無線通信を行う画像形成装置に本発明を適用した場合について説明するが、本発明の適用先の画像形成装置が行う近距離無線通信はＮＦＣに限られず、ＮＦＣ以外の通信規格を用いた近距離無線通信を行う画像形成装置にも本発明を適用することができる。
【００１２】
図１は、本発明の実施の形態に係る画像形成装置１０１を含む画像形成システム１００の構成を概略的に示すブロック図である。
【００１３】
図１において、画像形成システム１００は画像形成装置１０１及び携帯端末１０２（情報処理装置）を備える。画像形成装置１０１は、コントローラ部１０３、無線通信部１０４、近距離無線通信ユニット１０５（近接無線通信手段）、ＵＩ部１０６（操作部）、プリンタ部１０７（印刷手段）、及びスキャナ部１０８を備える。携帯端末１０２は、無線通信部１０９、近距離無線通信部１１０、コントローラ部１１１、及びＵＩ部１１２を備える。画像形成装置１０１は、印刷、スキャン、コピー、及びＦＡＸ等の各種機能を有するＭＦＰ（Ｍｕｌｔｉ  Ｆｕｎｃｔｉｏｎａｌ  Ｐｅｒｉｐｈｅｒａｌ）である。画像形成装置１０１は無線通信部１０４を介して無線通信部１０９を有する携帯端末１０２とＷｉ−Ｆｉ等を用いた無線ＬＡＮ通信を行う。さらに、画像形成装置１０１は近距離無線通信ユニット１０５を介して近距離無線通信部１１０を有する携帯端末１０２とＮＦＣ通信を行う。近距離無線通信では、近距離無線通信ユニット１０５及び近距離無線通信部１１０が近接する距離、具体的には、数ｃｍ〜十数ｃｍの距離範囲に限って無線通信が可能である。携帯端末１０２は、スマートフォン等の携帯電話、タブレット型パソコン、ノート型パソコン、及びＰＤＡ等を含む。
【００１４】
次に、画像形成装置１０１及び携帯端末１０２の各構成要素の詳細について図２及び図３を用いて説明する。
【００１５】
図２は、図１における画像形成装置１０１の構成を概略的に示すブロック図である。
【００１６】
図２において、コントローラ部１０３は、ＣＰＵ２０１、ＲＡＭ２０２、ＲＯＭ２０３、記憶装置２０４、画像処理部２０５、給紙制御部２２０、プリンタ部Ｉ／Ｆ２０６、スキャナ部Ｉ／Ｆ２０７、無線コントローラ２０８、操作部コントローラ２０９、ＵＳＢＩ／Ｆ２１０、ネットワークＩ／Ｆ２１１、及びＦＡＸＩ／Ｆ２１２を備え、これらはバス２１３を介して互いに接続されている。ＵＩ部１０６は表示部２１４及びタッチパネル・キー２１５を備える。近距離無線通信ユニット１０５は近距離無線コントローラ２１６及び近距離無線通信部２１７を備える。
【００１７】
ＣＰＵ２０１はバス２１３で接続された各構成要素を統括的に制御する。ＣＰＵ２０１はＲＡＭ２０２やＲＯＭ２０３に格納された各種プログラムを用いて各構成要素の制御を行う。ＲＡＭ２０２はＣＰＵ２０１で用いられる演算データ及び各種プログラムを格納する。また、ＲＡＭ２０２は印刷処理時に画像処理部２０５で生成された画像データを格納する。ＲＯＭ２０３は画像形成装置１０１のブートプログラムを格納する。記憶装置２０４は不揮発の２次記憶装置であり、大容量のプログラムや各種データを格納する。プリンタ部Ｉ／Ｆ２０６はコントローラ部１０３とプリンタ部１０７とのデータ通信を行い、ＣＰＵ２０１から送信された印刷処理で用いられるジョブをプリンタ部１０７へ送信する。送信されたジョブに応じてプリンタ部１０７が給紙制御部２２０から給紙された用紙に印刷処理を行う。スキャナ部Ｉ／Ｆ２０７はコントローラ部１０３とスキャナ部１０８とのデータ通信を行い、ＣＰＵ２０１から送信されたスキャン処理で用いられるジョブをスキャナ部１０８へ送信する。送信されたジョブに応じてスキャナ部１０８はスキャン処理を行う。無線コントローラ２０８は無線通信部１０４を介して携帯端末１０２や無線ＬＡＮを用いた通信機能を有する図示しない情報処理装置と無線ＬＡＮ通信を行う。操作部コントローラ２０９は、コントローラ部１０３と表示部２１４及びタッチパネル・キー２１５を設けるＵＩ部１０６とのデータ通信を行う。操作部コントローラ２０９はユーザが表示部２１４及びタッチパネル・キー２１５を用いて設定した各種設定情報を受信する。一方で、操作部コントローラ２０９はＣＰＵ２０１から送信された制御信号を表示部２１４に送信し、表示部２１４には制御信号に応じた各種情報が表示される。ＵＳＢＩ／Ｆ２１０は図示しないＵＳＢコネクタに接続された情報処理装置とＵＳＢ通信を行う。ネットワークＩ／Ｆ２１１はＬＡＮ２１８に接続された情報処理装置とネットワーク通信を行う。ＦＡＸＩ／Ｆ２１２は公衆回線網２１９に接続されたファクシミリ通信機能を有する他の画像形成装置とファクシミリ通信を行う。
【００１８】
近距離無線通信ユニット１０５における近距離無線コントローラ２１６は、近距離無線通信部２１７を介して近距離無線通信部１１０を有する携帯端末１０２とＮＦＣ通信を行う。本実施の形態において、近距離無線コントローラ２１６は、図示しないＥＥＰＲＯＭ等のメモリ素子を備え、画像形成装置１０１の各種機器情報をメモリ素子に格納するＮＦＣタグを構成する。機器情報は、例えば、Ｗｉ−Ｆｉの通信設定に関する情報を含む。また、近距離無線コントローラ２１６は、ＮＦＣ通信によって携帯端末１０２から送信されたユーザ情報をメモリ素子に格納し、格納されたユーザ情報に基づいてユーザ認証を行う。なお、本実施の形態における近距離無線コントローラ２１６は、携帯端末１０２が出力する電波に応じてＮＦＣ通信を行うのみであり、近距離無線コントローラ２１６からＮＦＣ通信を行うために携帯端末１０２へ電波を出力しない。
【００１９】
図３は、図１における携帯端末１０２の構成を概略的に示すブロック図である。
【００２０】
図３において、コントローラ部１１１は、ＣＰＵ３０１、ＲＡＭ３０２、ＲＯＭ３０３、記憶装置３０４、通話部３０５、表示部コントローラ３０６、操作部コントローラ３０７、無線コントローラ３０８、通信部３０９、及び近距離無線コントローラ３１０を備え、これらはバス３１１を介して互いに接続されている。ＵＩ部１１２は、表示部３１２、タッチパネル３１３、及びキー３１４を備える。ＣＰＵ３０１はバス３１１で接続された各構成要素を統括的に制御する。ＣＰＵ３０１はＲＡＭ３０２やＲＯＭ３０３に格納された各種プログラムを用いて各構成要素の制御を行う。ＲＡＭ３０２はＣＰＵ３０１で用いられる演算データ及び各種プログラムを格納する。ＲＯＭ３０３は携帯端末１０２におけるブートプログラムを格納する。記憶装置３０４は不揮発の２次記憶装置であり、大容量のプログラムや各種データを格納する。通話部３０５は電話機能となる音声通話を行う。表示部コントローラ３０６はコントローラ部１１１と表示部３１２とのデータ通信を行い、操作部コントローラ３０７はコントローラ部１１１とタッチパネル３１３及びキー３１４とのデータ通信を行う。表示部３１２には、例えば、ＬＣＤ及び有機ＥＬディスプレイが用いられ、タッチパネル３１３には静電容量式及び抵抗膜式のタッチパネルが用いられる。無線コントローラ３０８は無線通信部１０９を介して画像形成装置１０１と無線ＬＡＮ通信を行う。通信部３０９はＵＳＢコネクタ（図示しない）に接続された図示しない情報処理装置とデータ通信を行う。近距離無線コントローラ３１０は近距離無線通信部１１０を介して画像形成装置１０１やＮＦＣを用いた通信機能を有する情報処理装置とＮＦＣ通信を行う。近距離無線コントローラ３１０は、ＮＦＣ通信によって画像形成装置１０１における近距離無線コントローラ２１６のメモリ素子に記憶された機器情報を取得し、取得した機器情報に基づいて画像形成装置１０１との無線ＬＡＮの通信設定を行う。
【００２１】
次に、画像形成システム１００で実行されるＮＦＣ通信における無線ＬＡＮの通信設定を行うまでの手順について説明する。
【００２２】
図４は、図１の画像形成システム１００で実行されるＮＦＣ通信を説明するためのシーケンス図である。
【００２３】
図４において、まず、ユーザが携帯端末１０２を画像形成装置１０１の近距離無線通信部２１７にかざすと（ステップＳ４０１）、携帯端末１０２から出力される電波で画像形成装置１０１の近距離無線コントローラ２１６が起動する（ステップＳ４０２）。次いで、携帯端末１０２の近距離無線通信部１１０が、画像形成装置１０１の近距離無線通信部２１７へＮＦＣ通信の通信要求を示すＰｏｌｌｉｎｇコマンドを送信する（ステップＳ４０３）。次いで、画像形成装置１０１の近距離無線通信部１１０は、送信されたＰｏｌｌｉｎｇコマンドに応じて近距離無線コントローラ２１６に格納された機器情報を示すデータを携帯端末１０２の近距離無線通信部１１０へ送信する（ステップＳ４０４）。ここで、機器情報を示すデータには、例えば、ＳＳＩＤを含むＷｉ−Ｆｉの通信設定に関する情報や、画像形成装置１０１のＩＰアドレスが格納されている。次いで、携帯端末１０２の近距離無線通信部１１０は、送信された機器情報を示すデータに応じて、例えば、Ｗｉ−Ｆｉを用いた無線ＬＡＮの通信設定を行う（ステップＳ４０５）。具体的には、携帯端末１０２は受信した機器情報を示すデータに含まれるＳＳＩＤにアクセスする。さらに、携帯端末１０２は、受信した機器情報を示すデータに含まれる画像形成装置１０１のＩＰアドレスを宛先としてＷｉ−Ｆｉ経由で印刷ジョブを画像形成装置１０１に送信する。その後、印刷ジョブを受信した画像形成装置１０１は印刷処理を実行する。
【００２４】
図５は、図１におけるＵＩ部１０６及び近距離無線通信ユニット１０５の外観を示す図である。
【００２５】
図５（ａ）において、ＵＩ部１０６は表示部２１４及び電源キー５０１を備える。表示部２１４には、スタートボタン５０２、ストップボタン５０３、各種設定画面５０４が表示される。表示部２１４はタッチパネルが用いられる。ユーザが表示部２１４を指で押下すると、表示部２１４は押下された位置に対応する座標からユーザの操作内容を特定する。画像形成装置１０１は、例えば、図５（ａ）において、各種設定画面５０４に「ＣＯＰＹ」が表示された際、ユーザがスタートボタン５０２の表示を押下すると、ユーザの操作内容が印刷指示であると特定して印刷処理を開始する。電源キー５０１はタッチパネルと異なり、機械的接点を有するスイッチであり、ユーザの操作を受け付ける。近距離無線通信ユニット１０５は、内部に設けられた図２における近距離無線コントローラ２１６及び近距離無線通信部２１７の他に、近距離無線通信ポイント５０５を備える。近距離無線通信ポイント５０５はＮＦＣ通信を行う際、図５（ｂ）に示すように携帯端末１０２の近距離無線通信部１１０をかざす位置を示す。
【００２６】
図６は、図５のＵＩ部１０６の変形例の外観を示す図である。
【００２７】
図６において、ＵＩ部１０６’は、図５（ａ）における表示部２１４及び電源キー５０１の他に、スタートキー６０１、ストップキー６０２、テンキー６０３を備える。スタートキー６０１、ストップキー６０２、テンキー６０３は、機械的接点を有するスイッチであり、ユーザの操作を受け付ける。ユーザがＵＩ部１０６’における上述した各種設定キーを指で押下すると、ＵＩ部１０６’は押下された設定キーからユーザの操作内容を特定する。画像形成装置１０１は、例えば、図６（ａ）において、ユーザがテンキー６０３で印刷する部数を設定してスタートキー６０１を押下すると、ユーザの操作内容が印刷指示であると特定して設定した部数の印刷処理を開始する。ＵＩ部１０６’の近傍には、近距離無線通信ユニット１０５が設けられる。
【００２８】
図７は、図１におけるコントローラ部１０３で実行される操作無効処理の手順を説明するためのフローチャートである。
【００２９】
図７の処理は、画像形成装置１０１におけるＣＰＵ２０１がＲＯＭ２０３及び記憶装置２０４に格納されたプログラムを実行することによって行われる。
【００３０】
図５（ａ）に示すように、近距離無線通信ユニット１０５がＵＩ部１０６の近傍に設けられる画像形成装置１０１では、ＮＦＣ通信が行われる際、ユーザが、図５（ｂ）に示すように、携帯端末１０２を近距離無線通信ユニット１０５の近距離無線通信ポイント５０５にかざそうとして近距離無線通信ユニット１０５の近傍に設けられたＵＩ部１０６におけるスタートボタン５０２を誤って押下してしまう可能性がある。
【００３１】
これに対応して、図７の処理では、携帯端末１０２が近距離無線通信ポイント５０５に近接する際、画像形成装置１０１は、携帯端末１０２の近距離無線通信部１１０から出力される電波によって生じる磁界（以下、単に「磁界」という。）の検知に応じてＵＩ部１０６における設定ボタン及び設定キーの操作を無効にする。
【００３２】
具体的には、まず、ＣＰＵ２０１は、近距離無線コントローラ２１６に磁界の検知信号の送信条件を設定する（ステップＳ７０１）。近距離無線コントローラ２１６は設定された送信条件に応じてＣＰＵ２０１へ検知信号を送信する。本実施の形態では、送信条件として、近距離無線コントローラ２１６が磁界を検知したことが設定される。ここで、携帯端末１０２の近距離無線通信部１１０から出力される電波はＮＦＣ通信で用いられる電波である。また、本実施の形態では、近距離無線コントローラ２１６は、携帯端末１０２の近距離無線通信部１１０が近距離無線通信ポイント５０５に近接すると、磁界を検知する。
【００３３】
次いで、ＣＰＵ２０１は、近距離無線コントローラ２１６から送信された検知信号を受信すると（ステップＳ７０２）、図５（ａ）及び図６（ａ）に示すＵＩ部１０６，１０６’における設定ボタン及び設定キー、具体的には、スタートボタン５０２、ストップボタン５０３、スタートキー６０１、ストップキー６０２、及びテンキー６０３の操作を無効にする（ステップＳ７０３）（操作制御手段）。その後、ＣＰＵ２０１は、設定ボタン及び設定キーが押下されても、操作部コントローラ２０９から送信された入力情報を示す信号を無効として処理する。ここで、設定ボタン及び設定キーが押下された際、ＣＰＵ２０１が検知信号に応じて操作部コントローラ２０９へ制御信号を送信し、送信された制御信号に応じて操作部コントローラ２０９が入力情報を示す信号をＣＰＵ２０１へ送信しないことで設定ボタンの操作を無効にしてもよい。
【００３４】
次いで、ＣＰＵ２０１は、近距離無線コントローラ２１６から検知信号が送信されなくなると（ステップＳ７０４）、ＵＩ部１０６，１０６’における設定ボタン及び設定キーの操作を有効にし（ステップＳ７０５）、ステップＳ７０２の処理へ戻る。次いで、ＣＰＵ２０１はステップＳ７０２以降の処理を繰り返し行う。
【００３５】
本実施の形態によれば、携帯端末１０２が画像形成装置１０１の近距離無線通信ポイント５０５に近接する際に、携帯端末１０２の近距離無線通信部１１０から出力される電波によって生じる磁界が検知され、当該検知された磁界に応じて検知信号が送信され、送信された検知信号に応じてＵＩ部１０６における設定ボタン（５０２，５０３）及びＵＩ部１０６’における設定キー（６０１〜６０３）の操作が無効になる。ここで、図５（ａ）及び図６（ａ）に示すように近距離無線通信ユニット１０５がＵＩ部１０６，１０６’の近傍に設けられると、ユーザが携帯端末１０２を近距離無線通信ポイント５０５に近接させて近距離無線通信を行う際に、例えば、図５（ｂ）及び図６（ｂ）に示すように当該ユーザが誤ってＵＩ部１０６におけるスタートボタン５０２及びＵＩ部１０６’におけるスタートキー６０１に触れてしまい、ユーザの意図しない処理を画像形成装置１０１が行うおそれがあるが、携帯端末１０２が近距離無線通信ポイント５０５に近接する際にスタートボタン５０２を含む設定ボタン（５０２，５０３）及びスタートキー６０１を含む設定キー（６０１〜６０３）の操作が無効になるので、携帯端末１０２を近距離無線通信ポイント５０５に近接させたユーザによる設定ボタン（５０２，５０３）及び設定キー（６０１〜６０３）の誤操作の発生頻度を低減することができる。
【００３６】
本実施の形態において、近距離無線コントローラ２１６は当該近距離無線コントローラ２１６が定期的に磁界を検知した検知結果を示すデータを格納するレジスタを備え、ＣＰＵ２０１が近距離無線コントローラ２１６のレジスタに格納された検知結果を示すデータを取得し、取得したデータに基づいて磁界が検知されたか否かを判別してもよい。これにより、近距離無線コントローラ２１６が検知した磁界に応じて検知信号を出力する機能を有さなくても、磁界が検知されたか否かを判別することができ、もって、携帯端末１０２が近距離無線通信ポイント５０５に近接していることを特定することができる。
【００３７】
また、本実施の形態において、設定ボタン及び設定キーの押下に応じる各種処理の開始のみを無効にしてもよい。この場合、例えば、図５（ａ）に示すＵＩ部１０６にコピー、スキャン、ＦＡＸといった各種機能を選択する画面が表示されている場合には、ユーザが誤って設定ボタンを押下しても印刷処理、スキャン処理、ＦＡＸ処理といった各種処理が開始されないので、設定ボタンの操作そのものを無効にしなくてもユーザによる誤操作の発生頻度を低減することができる。
【００３８】
図８は、図１における近距離無線コントローラ２１６で実行される磁界検知処理の手順を説明するためのフローチャートである。
【００３９】
図８の処理では、ＣＰＵ２０１から制御されることなく近距離無線コントローラ２１６が独自に処理を行う。
【００４０】
図８において、まず、近距離無線コントローラ２１６は、図７におけるステップＳ７０１で設定された送信条件に応じて磁界の検知を開始する（ステップＳ８０１）。次いで、近距離無線コントローラ２１６は、磁界を検知したか否かを判別する（ステップＳ８０２）。
【００４１】
ステップＳ８０２の判別の結果、磁界を検知したとき、近距離無線コントローラ２１６はＣＰＵ２０１へ検知信号を送信し（ステップＳ８０３）、ステップＳ８０１の処理へ戻る。ステップＳ８０２の判別の結果、磁界を検知しないとき、近距離無線コントローラ２１６はＣＰＵ２０１へ検知信号を送信せずに（ステップＳ８０４）、ステップＳ８０１の処理へ戻る。次いで、近距離無線コントローラ２１６はステップＳ８０１以降の処理を繰り返し行う。
【００４２】
図８の処理において、近距離無線コントローラ２１６は磁界を検知している間連続して検知信号を出力し続けているが、近距離無線コントローラ２１６は磁界を検知したときのみ検知信号を出力する構成であってもよい。
【００４３】
図９は、図１におけるコントローラ部１０３で実行される一時停止処理の手順を説明するためのフローチャートである。
【００４４】
図９の処理は、画像形成装置１０１におけるＣＰＵ２０１がＲＯＭ２０３及び記憶装置２０４に格納されるプログラムを実行することによって行われる。なお、図９の処理は、図７の操作無効処理と併用して実行されてもよい。
【００４５】
図７の処理では、磁界を検知してから設定ボタンの操作が無効になるまでの間に所定の時間を要することがあり、その間にユーザが設定ボタンを誤って押下してしまう可能性がある。
【００４６】
これに対応して、図９の処理では、磁界を検知し、検知した磁界に応じて生成された検知信号を所定の時間が経過するまでに受信した際、受信した検知信号に基づいて各種処理を一時停止する。
【００４７】
具体的には、まず、ＣＰＵ２０１は、近距離無線コントローラ２１６に検知信号の送信条件を設定する（ステップＳ９０１）。次いで、ＣＰＵ２０１は、ユーザによって表示部２１４の各種設定ボタン（５０２，５０３）及び設定キー（６０１〜６０３）の操作が行われると（ステップＳ９０２でＹＥＳ）、ユーザによってスタートボタン５０２，スタートキー６０１が押下されたか否かを判別する（ステップＳ９０３）。
【００４８】
ステップＳ９０３の判別の結果、ユーザがスタートボタン５０２，スタートキー６０１を押下していないとき、後述する図１０のリセット処理を実行し（ステップＳ９０４）、ステップＳ９０２の処理へ戻る。
【００４９】
ステップＳ９０３の判別の結果、ユーザがスタートボタン５０２，スタートキー６０１を押下したとき、ＣＰＵ２０１はスタートボタン５０２，スタートキー６０１の押下に応じた処理のジョブを生成し、生成したジョブに応じた処理を開始する（ステップＳ９０５）。次いで、ＣＰＵ２０１は所定の時間、例えば、１０００ｍｓ（＝１秒）を設定してカウントダウンを開始する（ステップＳ９０６）。所定の時間は、１０００ｍｓ（＝１秒）に限定されず、少なくとも、近距離無線コントローラ２１６が磁界を検知してからＣＰＵ２０１が検知信号を受信するまでに要する時間よりも長い時間であることが好ましい。また、所定の時間は、各種処理を異常なく停止することができる時間、例えば、ステップ９０５で印刷処理のジョブが開始されてからプリンタ部１０７へ用紙が給紙されるまでの時間より短い時間であることが好ましい。
【００５０】
次いで、ＣＰＵ２０１は、ステップＳ９０６で設定された時間が経過するまでに近距離無線コントローラ２１６から検知信号を受信したか否かを判別する（ステップＳ９０７）。
【００５１】
ステップＳ９０７の判別の結果、ステップＳ９０６で設定された時間が経過するまでに近距離無線コントローラ２１６から検知信号を受信したとき、ＣＰＵ２０１はステップＳ９０５で開始されたジョブを一時停止する（ステップＳ９０８）（処理制御手段）。次いで、ＣＰＵ２０１は、ステップＳ９０８で一時停止されたジョブを継続するか否かをユーザに選択させる画像を表示部２１４に表示させる（ステップＳ９０９）（選択手段）。次いで、ＣＰＵ２０１は、ユーザの選択に基づいてステップＳ９０８で一時停止されたジョブを継続するか否かを決定する（ステップＳ９１０）（決定手段）。
【００５２】
ステップＳ９１０において、ステップＳ９０８で一時停止されたジョブを継続することが決定されたとき、ＣＰＵ２０１はジョブの処理を再開し（ステップＳ９１１）、ステップＳ９０２の処理へ戻る。一方で、ステップＳ９１０において、ステップＳ９０８で一時停止されたジョブを継続しないことが決定されたとき、ＣＰＵ２０１は一時停止したジョブの処理を中止し（ステップＳ９１２）、ステップＳ９０２の処理へ戻る。
【００５３】
ステップＳ９０７の判別の結果、ステップＳ９０６で設定された時間が経過するまでに近距離無線コントローラ２１６から検知信号を受信しないとき、ステップＳ９０５で開始されたジョブの処理を継続し、当該ジョブが終了すると（ステップＳ９１３でＹＥＳ）、ＣＰＵ２０１はステップＳ９０２の処理へ戻る。次いで、ＣＰＵ２０１はステップＳ９０２以降の処理を繰り返し行う。
【００５４】
図９の処理によれば、ステップＳ９０６で所定の時間、例えば、１０００ｍｓが設定されてから当該所定の時間が経過するまでに検知信号を受信した際、ステップＳ９０５で開始されたジョブが停止される。これにより、例えば、設定ボタン（５０２，５０３）及び設定キー（６０１〜６０３）の操作が無効になる前にユーザによる設定ボタン（５０２，５０３）及び設定キー（６０１〜６０３）の誤操作が発生し、ステップＳ９０５におけるジョブが開始されてしまっても、当該開始されたジョブを停止することができる。
【００５５】
また、図９の処理おいて、所定の時間をステップ９０５で印刷処理のジョブが開始されてからプリンタ部１０７に用紙が給紙されるまでの時間より短い時間に設定すると、例えば、設定ボタン（５０２，５０３）及び設定キー（６０１〜６０３）の操作が無効になる前にユーザによる設定ボタン（５０２，５０３）及び設定キー（６０１〜６０３）の誤操作によって印刷処理のジョブが開始されても、検知信号が受信された場合、プリンタ部１０７に用紙が給紙されるまでに印刷処理のジョブが停止されるので、用紙が無駄に使用されるのを防止することができる。
【００５６】
さらに、図９の処理によれば、ユーザによるステップＳ９０８で一時停止されたジョブを継続するか否かの選択に基づいてステップＳ９０８で一時停止されたジョブにおける継続及び中止が決定される。これにより、ステップＳ９０８で一時停止されたジョブに対応する処理が誤操作による処理であるか否かを分別する機会をユーザに与えることができる。
【００５７】
図１０は、図９におけるリセット処理の手順を説明するためのフローチャートである。
【００５８】
図１０において、まず、ＣＰＵ２０１はユーザによってストップボタン５０３，ストップキー６０２が押下されたか否かを判別する（ステップＳ１００１）。
【００５９】
ステップＳ１００１の判別の結果、ユーザがストップボタン５０３，ストップキー６０２を押下したとき、ＣＰＵ２０１はジョブが処理中であるか否かを判別する（ステップＳ１００２）。
【００６０】
ステップＳ１００２の判別の結果、ジョブが処理中であるとき、ＣＰＵ２０１はストップボタン５０３，９０６の押下に応じてジョブを停止する（ステップＳ１００３）。次いで、ＣＰＵ２０１は所定の時間、例えば、１０００ｍｓ（＝１秒）を設定してカウントダウンを開始する（ステップＳ１００４）。次いで、ＣＰＵ２０１はステップＳ１００４で設定された時間が経過するまでに近距離無線コントローラ２１６から検知信号を受信したか否かを判別する（ステップＳ１００５）。
【００６１】
ステップＳ１００５の判別の結果、ステップＳ１００４で設定された時間が経過するまでに近距離無線コントローラ２１６から検知信号を受信したとき、ＣＰＵ２０１はステップＳ１００３で停止したジョブを再開し（ステップＳ１００６）、ステップＳ９０２の処理へ戻る。ステップＳ１００６では、ステップＳ１００３において停止されたジョブは、ユーザが誤ってストップボタン５０３，ストップキー６０２に触れたことによって停止されたとみなされ、ステップＳ１００３で停止されたジョブが再開される。
【００６２】
ステップＳ１００５の判別の結果、ステップＳ１００４で設定された時間が経過するまでに近距離無線コントローラ２１６から検知信号を受信しないとき、ＣＰＵ２０１はステップＳ９０２の処理へ戻る。
【００６３】
ステップＳ１００１の判別の結果、ユーザがストップボタン５０３，ストップキー６０２を押下していないとき、ＣＰＵ２０１はユーザによってテンキー６０３が押下されたか否かを判別する（ステップＳ１００７）。
【００６４】
ステップＳ１００７の判別の結果、ユーザがテンキー６０３を押下したとき、ＣＰＵ２０１は、押下されたテンキー６０３の数字に対応した数値を設定する設定画像が表示部２１４に表示されているか否かを判別する（ステップＳ１００８）。ここで、数値を設定する設定画像とは、例えば、印刷処理を行う際に印刷する部数を設定する設定画像を示す。
【００６５】
ステップＳ１００８の判別の結果、操作されたテンキー６０３の数字に対応した数値を設定する設定画像が表示部２１４に表示されているとき、ＣＰＵ２０１はテンキー６０３の押下に応じた数値を設定する（ステップＳ１００９）。
【００６６】
次いで、ＣＰＵ２０１は所定の時間、例えば、１０００ｍｓ（＝１秒）を設定してカウントダウンを開始する（ステップＳ１０１０）。次いで、ＣＰＵ２０１はステップＳ１０１０で設定された時間が経過するまでに近距離無線コントローラ２１６から検知信号を受信したか否かを判別する（ステップＳ１０１１）。
【００６７】
ステップＳ１０１１の判別の結果、ステップＳ１０１０で設定された時間が経過するまでに近距離無線コントローラ２１６から検知信号を受信したとき、ＣＰＵ２０１はステップＳ１００９で設定された数値を初期値に戻し（ステップＳ１０１２）、ステップＳ９０２の処理へ戻る。ステップＳ１０１２では、設定された数値が、ユーザが誤ってテンキー６０３に触れたことによって設定されたとみなされ、ステップＳ１００９で設定された数値が初期値に戻される。
【００６８】
ステップＳ１０１１の判別の結果、ステップＳ１０１０で設定された時間が経過するまでに近距離無線コントローラ２１６から検知信号を受信しないとき、ＣＰＵ２０１はステップＳ９０２の処理へ戻る。
【００６９】
ステップＳ１００２の判別の結果、ジョブが処理中でないとき、ステップＳ１００７の判別の結果、ユーザによって操作された設定キーがテンキー６０３でないとき、及びステップＳ１００８の判別の結果、操作されたテンキー６０３の数字に対応した数値を設定する設定画像が表示部２１４に表示されていないとき、ＣＰＵ２０１はステップＳ９０２の処理へ戻る。
【００７０】
上述した図９及び図１０の処理において、ユーザが設定ボタンや設定キーを押下した後に検知信号を受信した場合について説明したが、上述した本実施の形態は検知信号を先に受信してからユーザが設定ボタンや設定キーを押下した場合でも適用することができる。
【００７１】
なお、本発明は、上記実施の形態の機能を実現するソフトウェア（プログラム）を、ネットワーク又は各種記憶媒体を介してシステム或いは装置に供給し、当該システム或いは装置のコンピュータ（又はＣＰＵ，ＭＰＵ等）がプログラムを読み出して実行する処理を実行することによって実現してもよい。さらに、本発明は、ネットワーク又は各種記憶媒体を介して取得したソフトウェア（プログラム）をパーソナルコンピュータ（ＣＰＵ，プロセッサ）にて実行することによって実現してもよい。
【符号の説明】
【００７２】
１０１  画像形成装置
１０２  携帯端末
１０５  近距離無線通信ユニット
１０６，１０６’  ＵＩ部
２０１  ＣＰＵ
２０９  操作部コントローラ
２１６  近距離無線コントローラ
２２０  給紙制御部
【図１】
2016074164.tif 000003
【図２】
2016074164.tif 000004
【図３】
2016074164.tif 000005
【図４】
2016074164.tif 000006
【図５】
2016074164.tif 000007
【図６】
2016074164.tif 000008
【図７】
2016074164.tif 000009
【図８】
2016074164.tif 000010
【図９】
2016074164.tif 000011
【図１０】
2016074164.tif 000012